(57)【特許請求の範囲】
【請求項１】
保持対象物を外周側から支持可能な側壁部を備えるホルダと、前記側壁部に対して上端ヒンジで前記ホルダの内外に進退可能となるように取り付けられた保持爪と、を有するカップホルダであって、
前記保持爪が、前記側壁部に対して上端ヒンジで回転する上側の爪ピースと下端ヒンジで回転する下側の爪ピースとに高さ方向に分割され、前記上側の爪ピースと前記下側の爪ピースとが前記側壁部に形成された共通の通し孔から前記ホルダの内部に張り出す構成とされ、
更に、前記保持爪と周方向に並んで前記側壁部に対して下端ヒンジで前記ホルダの内外に進退可能となるように取り付けられた分割構造を持たない別の保持爪を有し、
前記保持爪が、前記別の保持爪よりも使用者から遠い側の周方向位置に配置されるカップホルダ。
【請求項２】
請求項１に記載のカップホルダであって、
前記上側の爪ピースが前記下側の爪ピースよりも前記ホルダの内側に位置して前記下側の爪ピースを上方側から覆う形で前記ホルダの内部に張り出す構成とされているカップホルダ。
【請求項３】
請求項１又は請求項２に記載のカップホルダであって、
前記保持爪は、前記上側の爪ピースと前記下側の爪ピースとのうちの一方が他方をどちらかから突出する突起の当接により押し動かす構成とされているカップホルダ。
【発明の詳細な説明】
【技術分野】
【０００１】
本発明は、カップホルダに関する。詳しくは、保持対象物を外周側から支持可能な側壁部を備えるホルダと、側壁部に対してホルダの内外に進退可能に取り付けられた保持爪と、を有するカップホルダに関する。
【０００２】
従来、飲物容器を保持するカップホルダとして、有底筒状のホルダ部の筒壁に、飲物容器の外周面に押し当てられるように付勢された保持爪が設けられた構成が知られている（特許文献１）。上記保持爪は、ホルダ部の筒壁に対して下側ヒンジで上部が筒内に張り出したり筒外に押し出されたりするように弾性支持された構成とされている。
【先行技術文献】
【特許文献】
【０００３】
【特許文献１】特開２０１１−１１１０７３号公報
【発明の概要】
【発明が解決しようとする課題】
【０００４】
上記従来技術では、保持爪が筒内に大きく張り出しながらも飲物容器のセットにより筒外に押し出されるよう、ホルダ部の下端から上端まで延びる回転半径の大きな構成とされている。このような構成では、保持爪が筒内に大きく張り出す構成であっても飲物容器のセットにより保持爪を筒外へ滑らかに退かせられるよう、飲物容器の押し込み力を受ける上向きに傾斜したガイド面を高さ方向に広く形成することが可能となる。しかし、その一方で、保持爪が筒外へ押し出された際のスペースが嵩張る構成となるため、構造全体の大型化を招いてしまう。本発明は、上記問題を解決するものとして創案されたものであって、本発明が解決しようとする課題は、カップホルダの保持爪をコンパクトに退かせられるようにすることにある。
【課題を解決するための手段】
【０００５】
上記課題を解決するために、本発明のカップホルダは次の手段をとる。
【０００６】
第１の発明は、保持対象物を外周側から支持可能な側壁部を備えるホルダと、側壁部に対してホルダの内外に進退可能に取り付けられた保持爪と、を有するカップホルダである。保持爪が、互いに高さ方向に分割された上側の爪ピースと下側の爪ピースとによって構成され、各爪ピースが互いの反対側の端部に設定された軸回りの回転により側壁部に形成された共通の通し孔からホルダの内部に張り出す構成とされている。
【０００７】
この第１の発明によれば、保持爪が上記の形に分割されていることで、保持爪をホルダ内に大きく張り出させる形にしても、それぞれを異なる移動軌跡でホルダ外へコンパクトに退かせることができる。
【０００８】
第２の発明は、上述した第１の発明において、次の構成とされているものである。上側の爪ピースが下側の爪ピースよりもホルダの内側に位置して下側の爪ピースを上方側から覆う形でホルダの内部に張り出す構成とされている。
【０００９】
この第２の発明によれば、保持爪が、上端ヒンジの上側の爪ピースが上方側に見える構成となり、進退過程のいずれの状態においても、上側の爪ピースによって通し孔と下側の爪ピースとの境界形状とを見栄え良く覆った状態とすることができる。
【００１０】
第３の発明は、上述した第１又は第２の発明において、次の構成とされているものである。保持爪は、上側の爪ピースと下側の爪ピースとのうちの一方が他方をどちらかから突出する突起の当接により押し動かす構成とされている。
【００１１】
この第３の発明によれば、上側の爪ピースと下側の爪ピースとの更なる小型化を図ることができる。
【００１２】
第４の発明は、上述した第１から第３のいずれかの発明において、次の構成とされているものである。更に、側壁部に対して別の保持爪が上記保持爪と周方向に並んで設けられている。上記保持爪が別の保持爪よりも使用者から遠い側の周方向位置に配置されている。
【００１３】
この第４の発明によれば、使用者が保持対象物を手前側から奥側へ傾けた角度でホルダ内に落とし込む際に、保持対象物がホルダ内の先当たりする遠い側の側壁部に上端ヒンジの保持爪が位置することで、保持爪をスムーズにホルダ外へ押し退けて保持対象物をホルダ内に落とし込むことができる。
【００１４】
第５の発明は、上述した第４の発明において、次の構成とされているものである。別の保持爪が下端ヒンジでホルダの内外に進退する構成とされている。
【００１５】
この第５の発明によれば、ホルダ内にセットした保持対象物を引き抜く際に、下端ヒンジの別の保持爪がスムーズにホルダ外へ押し退けられるため、保持対象物をスムーズにホルダ外へ引き抜くことができる。
【図面の簡単な説明】
【００１６】
【図１】実施例１のカップホルダが適用された乗物用シートの概略斜視図である。
【図２】カップホルダの蓋が閉じられた状態を後方側から拡大して表した斜視図である。
【図３】カップホルダの蓋が開かれた状態を後方側から拡大して表した斜視図である。
【図４】カップホルダの分解斜視図である。
【図５】図４を反対側から見た分解斜視図である。
【図６】ホルダと保持爪の分解斜視図である。
【図７】図６を反対側から見た分解斜視図である。
【図８】図３の平面図である。
【図９】図８のIX-IX線断面図である。
【図１０】各ホルダ内に飲物容器がセットされた状態を表した平面図である。
【図１１】図１０のXI-XI線断面図である。
【図１２】図１０のXII-XII線断面図である。
【図１３】図１１から飲物容器を取り出す様子を表した断面図である。
【発明を実施するための形態】
【００１７】
以下に、本発明を実施するための形態について、図面を用いて説明する。
【実施例１】
【００１８】
＜カップホルダ１の概略構成について＞
始めに、実施例１のカップホルダ１の構成について、図１〜図１３を用いて説明する。本実施例のカップホルダ１は、図１に示すように、自動車のリヤシート１００に設けられたセンタアームレスト１１０に内蔵されている。上記センタアームレスト１１０は、上述したリヤシート１００のシートバックの一部により構成されており、その起倒回転により、シートバックと面一状を成す状態と、シートバックから倒されて肘置きとして使用可能となる状態と、に切り換えられるようになっている。上記カップホルダ１は、上述したセンタアームレスト１１０が倒されて使用状態とされることで、その上面側の先端部箇所に現れるようになっている。
【００１９】
上記カップホルダ１は、図２〜図３に示すように、その上面部に被せられた蓋部材５０の開閉操作により、上面部を閉じた状態（図２参照）と開いた状態（図３参照）とに切り換えられるようになっている。上記蓋部材５０は、上記図２に示す閉じられた状態から、使用者が蓋部材５０の後側の縁部箇所を上側から押し込む操作によって、弾性的に跳ね返される形で前側に倒し込まれるように回されて開かれるようになっている（図３参照）。また、上記蓋部材５０は、上記図３に示す開かれた状態から、使用者が蓋部材５０の尻側（上側）の縁部箇所を後側に引き込むように操作することによって、カップホルダ１の上面部を閉じた状態に戻されてロックされるようになっている（図２参照）。
【００２０】
上述したカップホルダ１は、上記図３に示す開かれた状態において、そのホルダ１０の上部に開口する左右２箇所の差込口１０Ａからそれぞれ飲物容器Ｃを上側から差し込んで保持することができるようになっている（図１０〜図１２参照）。また、上記カップホルダ１は、上記各差込口１０Ａ内に差し込んだ飲物容器Ｃをそれぞれ上側に引き抜くように操作することでこれらを簡便に取り出すことができるようになっている（図１３参照）。上記カップホルダ１の各差込口１０Ａ内での飲物容器Ｃを保持は、それぞれ、図１０〜図１１に示すように、各差込口１０Ａの周壁部１１に設けられた円周方向に並ぶ１つの保持爪３０と２つの保持爪４０とから成る３つ一組の爪構造により外周側から行われるようになっている。
【００２１】
ここで、上述した飲物容器Ｃが本発明の「保持対象物」に相当する。また、上記ホルダ１０の各周壁部１１が本発明の「側壁部」に相当し、各差込口１０Ａにおいて円周方向に並んで設けられる１つの保持爪３０が本発明の「保持爪」に相当し、残る２つの保持爪４０が本発明の「別の保持爪」に相当する。
【００２２】
上述した円周方向に並ぶ各組における１つの保持爪３０は、図１０〜図１１に示すように、各差込口１０Ａ内における前端側に位置するように設けられている。また、残り２つの各保持爪４０は、各差込口１０Ａ内における中央より後端側寄りの左右対称となる２箇所の位置に分かれて設けられている。上述した各保持爪３０，４０は、それぞれ、各差込口１０Ａの周壁部１１に対して、回転により半径方向の内外に出没することができるように設けられている。
【００２３】
具体的には、上述した各保持爪３０，４０は、図８〜図９に示すように、常時は、それぞれが各差込口１０Ａ内に張り出す方向に付勢された状態として設けられている。そして、上記各保持爪３０，４０は、図１０〜図１１に示すように、各差込口１０Ａ内に飲物容器Ｃが差し込まれることにより、同飲物容器Ｃにより押し退けられる形で外側に動かされて、係る弾発力により飲物容器Ｃを外周側から押さえ付けた形で保持するようになっている。上述した各保持爪３０，４０は、図９に示すように、それぞれ、各差込口１０Ａ内において、上側に面を向けつつ内側へ円弧状に膨らむ形で落ち込む湾曲面３０Ａ，４０Ａと、同湾曲面３０Ａ，４０Ａの落ち込んだ先から下側に面を向けつつ外側へ斜め真っ直ぐに落ち込む傾斜面３０Ｂ，４０Ｂと、を有する略扇形の形状を張り出させる構成とされている。
【００２４】
このような構成とされていることにより、各保持爪３０，４０は、それらの上側に面を向けつつ内側へ円弧状に落ち込む湾曲面３０Ａ，４０Ａによって、各差込口１０Ａ内に差し込まれる飲物容器Ｃをそれらの円弧面に沿ってセンタリングするように案内しながら受け入れていくことができるようになっている。また、各保持爪３０，４０は、それらの下側に面を向けつつ外側へ斜めに真っ直ぐ落ち込む傾斜面３０Ｂ，４０Ｂによって、飲物容器Ｃが各差込口１０Ａから引き抜かれる際に飲物容器Ｃをそれらの斜面に沿ってセンタリングするように案内しながら取り出していくことができるようになっている。
【００２５】
上述した各保持爪３０，４０は、詳しくは、それぞれが個別に半径方向の内外に首振りする回転運動により、各差込口１０Ａに対して出没動する構成とされている。そのため、例えば、各保持爪３０，４０の回転中心が、仮に全て同じ高さ位置に設定されていたとすると、飲物容器Ｃを出し入れするどちらかの際に、飲物容器Ｃが各保持爪３０，４０につっかえやすくなる構成となってしまう。具体的には、例えば、各保持爪３０，４０の回転中心が全て上端側の位置に設定されていたとすると、飲物容器Ｃを各差込口１０Ａ内に差し込む際に、各保持爪３０，４０がそれぞれ上側の湾曲面３０Ａ，４０Ａを押圧される力によって外側へ押し回されやすくなるため、飲物容器Ｃをスムーズに各差込口１０Ａ内に差し込むことができる。しかし、飲物容器Ｃを各差込口１０Ａから引き抜く際には、各保持爪３０，４０がそれぞれ下側の傾斜面３０Ｂ，４０Ｂを上側に押圧されて、回転中心側に向かって押圧される形となるため、各保持爪３０，４０が退く方向に動かされにくく、飲物容器Ｃが各保持爪３０，４０につっかえやすくなる。
【００２６】
一方、上記とは逆に、各保持爪３０，４０の回転中心を全て下端側の位置に設定したとすると、飲物容器Ｃを各差込口１０Ａ内に差し込む際に、各保持爪３０，４０がそれぞれ上側の湾曲面３０Ａ，４０Ａを下側に押圧されて、回転中心側へ向かって押圧される形となるため、各保持爪３０，４０が退く方向に動かされにくく、飲物容器Ｃが各保持爪３０，４０につっかえやすくなってしまう。但し、飲物容器Ｃを各差込口１０Ａから引き抜く際には、各保持爪３０，４０がそれぞれ下側の傾斜面３０Ｂ，４０Ｂを押圧される力によって外側へ押し回されやすくなるため、飲物容器Ｃをスムーズに各差込口１０Ａから引き抜くことができる。
【００２７】
このように、各保持爪３０，４０の回転中心が全て同じ高さ位置に設定されていると、飲物容器Ｃを出し入れするどちらかの際に必ずつっかえが生じてしまうという背反が起こる。そこで、本実施例では、図９に示すように、各差込口１０Ａ内の前端側に設けられる保持爪３０を実質的に上端側に回転中心を持つ構成にし、後端側寄りに設けられる左右２つの保持爪４０を下端側に回転中心を持つ構成にしている。このようにすることで、図１１に示すように、飲物容器Ｃを各差込口１０Ａ内に差し込む際には、前端側の保持爪３０がスムーズに退く方向に移動してつっかえが生じないようにすることができる。また、図１３に示すように、飲物容器Ｃを各差込口１０Ａから引き抜く際にも、後端側寄りの左右２つの保持爪４０がスムーズに退く方向に移動してつっかえが生じないようにすることができる。
【００２８】
また、特に、前端側の保持爪３０が実施的に上端側に回転中心を持つ構成とされていることにより、図１１に示すように、使用者から前方側に遠いセンタアームレスト１１０（図１参照）の先端部箇所に位置する各差込口１０Ａ内に飲物容器Ｃを差し込む際に、腕を前に長く伸ばすことなく、飲物容器Ｃを下端側を前に振り傾けた後傾気味の角度姿勢で各差込口１０Ａ内に落とし込んでも、飲物容器Ｃを各差込口１０Ａ内に簡単に差し込めるようになっている。具体的には、上記のような後傾気味の形で飲物容器Ｃが各差込口１０Ａ内に差し込まれると、飲物容器Ｃが前端側の保持爪３０に広く押し当てられる一方、後端側寄りの左右２つの保持爪４０には比較的浅く当てられるような態様となる。このような場合、回転中心の関係が実際とは上下逆の関係となっていると、前端側の保持爪３０が押し回されにくくつっかえの生じやすい状態となってしまう。しかし、本実施例ではそのようなことがなく、前端側の保持爪３０がスムーズに押し回されるため、使用者が腕を前に長く伸ばすことなく、飲物容器Ｃのセットが簡便に行えるようになっている。
【００２９】
また、図１１に示すように、上述したように前端側の保持爪３０が実質的に上端側に回転中心を持つ構成とされている場合、同保持爪３０が各差込口１０Ａから外側へ押し退けられた際に、保持爪３０の下端と保持爪３０の通されている周壁部１１の通し孔１２の下面との間の僅かな隙間から、通し孔１２の奥側の空間が使用者から見えやすくなってしまうという問題が生じ得る。また、上記前端側の保持爪３０は、図３及び図１１に示すように、上述した蓋部材５０が前側に倒される形で開かれた状態では、その飲物容器Ｃの差し込みによって退く方向に移動する側の先に蓋部材５０が位置しているために、退くためのスペースを広く取りにくいといった問題も生じ得る。
【００３０】
しかしながら、上記前端側の保持爪３０は、その飲物容器Ｃの保持などの主要な機能を果たすメインピースとしての上側の爪ピース３１と、上記の隙間を被覆する機能を果たすサブピースとしての下側の爪ピース３２と、に上下に２分割された構成とされている。そして、上記保持爪３０は、上述した上側の爪ピース３１が上端側に回転中心を持ち、下側の爪ピース３２が下端側に回転中心を持つ構成として、各々が回転半径の小さな少ない移動スペースで退く方向に移動することのできる構成とされている。このような構成により、前端側の保持爪３０は、上端側に回転中心を持つ構成でありながらも、各周壁部１１の通し孔１２の下面との間の隙間が外部から見えないようになっている。また、前端側の保持爪３０は、その退く方向に移動する側の先に蓋部材５０が位置する構成となっていても、蓋部材５０と干渉することなく退くことができるようになっている。
【００３１】
＜カップホルダ１の各部の具体的な構成ついて＞
以下、上述したカップホルダ１の各部の具体的な構成について、詳しく説明していく。なお、以下の説明において、飲物容器Ｃを示すときには、適宜、図１０〜図１３に示されるものを参照することとする。上述したカップホルダ１は、図４〜図５に示すように、ホルダ１０と、トレー２０と、３つ一組で構成される左右一対の保持爪３０，４０と、蓋部材５０と、ロック部材６０と、ガイドプレート７０と、ベゼル８０と、を備えて構成されている。これら各部品は、いずれもインジェクション成形された樹脂部品により構成されている。
【００３２】
＜ホルダ１０について＞
上述したホルダ１０は、上向きに開口する２つの有底円筒状の形が左右に並ぶ容器状の形に形成されている。上記ホルダ１０は、上述した左右に並ぶ２つの円筒の上側の開口部分が、飲物容器Ｃを上側から差し込むための差込口１０Ａとして構成され、各円筒の筒壁部分が、差し込んだ飲物容器Ｃを外周側から保持する周壁部１１として構成されている。上記各周壁部１１には、それらの円周方向の３箇所の位置に、各位置に配設された３つの保持爪３０，４０をそれぞれ筒の内外に出し入れさせられるようにする縦長矩形状の通し孔１２が形成されている。これら通し孔１２の外壁側の両脇部には、それぞれ、対応する各保持爪３０，４０の両側部を回転可能に組み付けるための軸支部１３が形成されている。
【００３３】
上述した各軸支部１３のうち、図６に示すように、各後側２つの保持爪４０を組み付けるための各軸支部１３Ｂは、それぞれ、これら保持爪４０を通す通し孔１２よりも低い位置に形成されて、各通し孔１２よりも低い位置で各保持爪４０を回転可能に軸支するようになっている。また、図７に示すように、各軸支部１３のうち、各前側１つの保持爪３０を組み付けるための軸支部１３は、それぞれ、これら保持爪３０が上下に２分割されて各々が個別に回転可能に組み付けられる構成とされることに対応して、各通し孔１２の上端側の両脇部に形成される軸支部１３Ａ１と、各通し孔１２よりも低い位置に形成された軸支部１３Ａ２と、に分かれて形成された構成とされている。
【００３４】
上記ホルダ１０は、図１２に示すように、上述した各円筒形状の底壁１４が、図１で前述したセンタアームレスト１１０の図示しないベース上に一体的に締結されることにより、同不図示のベース上に一体的に固定された状態として設けられている。
【００３５】
＜トレー２０について＞
トレー２０は、図４〜図５及び図１２に示すように、上述したホルダ１０の各円筒部分の底壁１４上に上側から被せ付けられて、各差込口１０Ａ内の底面を形成するものとなっている。具体的には、上記トレー２０は、図４〜図５に示すように、左右一対の円板状の受け皿２１と、これら受け皿２１の隣り合う縁部同士を門形状の形で繋ぐブリッジ２２と、を有する形状となっている。上記トレー２０は、図１２に示すように、上述したブリッジ２２を上述したホルダ１０の各円筒部分同士を仕切る仕切り板１５上に跨らせる形で各受け皿２１を各差込口１０Ａ内に落とし込むことにより、各受け皿２１がホルダ１０の各底壁１４上に底付きして各周壁部１１の底側の内周面に嵌まり込んだ状態にセットされる。これにより、上記トレー２０が、ホルダ１０に対して、各周壁部１１と一体感のある形に繋がれた状態として組み付けられている。
【００３６】
＜保持爪３０，４０について＞
各保持爪３０，４０は、図６〜図７に示すように、上述したホルダ１０の各周壁部１１に形成された対応する３つの通し孔１２の形成箇所に１つずつ配設されている。具体的には、保持爪３０は、上述したホルダ１０の各周壁部１１上における前端側の位置に１つずつ配設されている。また、各保持爪４０は、上述した各周壁部１１上における後端側寄りの左右２箇所の位置に１つずつ左右均等に配設されている。これら保持爪３０，４０は、互いの形状が異なる構成とされている。したがって、先ず、各周壁部１１上の前端側の位置に配設された保持爪３０の構成について説明する。
【００３７】
すなわち、保持爪３０は、上側の爪ピース３１と、下側の爪ピース３２と、に上下に２分割された構成とされている。前者の上側の爪ピース３１は、図６〜図７及び図９に示すように、同保持爪３０の上側の湾曲面３０Ａの全体と下側の傾斜面３０Ｂの一部とを構成する切頭扇状の形に形成されている。上記上側の爪ピース３１は、その上端側の左右両側部から張り出す各軸片３１Ａが、ホルダ１０に形成された対応する軸支部１３Ａ１にそれぞれ上側から嵌め込まれて回転可能に軸支された状態として組み付けられている（図７参照）。
【００３８】
上記上側の爪ピース３１は、図９に示すように、その左右両側部間の上側の湾曲面３０Ａと下側の傾斜面３０Ｂとによって挟まれた内角部分が、上側の爪ピース３１の退く側から抉られた中空状の形に形成されている。そして、上記上側の爪ピース３１の中空状とされた湾曲面３０Ａの裏側の内周面には、後述する下側の爪ピース３２の突起３２Ｂによって裏側から押圧される湾曲形状の押圧面３１Ｂが形成されている。
【００３９】
上記上側の爪ピース３１は、上述した下側の爪ピース３２の突起３２Ｂによってその裏側の押圧面３１Ｂが押圧されることで、ホルダ１０の差込口１０Ａ内に向かって張り出すように押し回されるようになっている。そして、上記上側の爪ピース３１は、図６〜図７及び図９に示すように、その左右両側部に形成された平板状の形に張り出す各張出片３１Ｃが、ホルダ１０の各周壁部１１の外周面に当接することで、それ以上の押し出される方向の回転移動が規制された状態として保持されるようになっている。
【００４０】
後者の下側の爪ピース３２は、上述した上側の爪ピース３１の下側の傾斜面３０Ｂと合わせて保持爪３０の下側の傾斜面３０Ｂを構成するアーム状の形に形成されている。上記下側の爪ピース３２は、その下端側の左右両側部から張り出す各軸片３２Ａが、ホルダ１０に形成された対応する軸支部１３Ａ２にそれぞれ下側から嵌め込まれて回転可能に軸支された状態として組み付けられている。上記下側の爪ピース３２は、図９に示すように、その上側に向かって延び出す先端側の突起３２Ｂが、差込口１０Ａ内に向かって折れ曲がる形で突出する形状とされて、上述した上側の爪ピース３１の中空状とされた内部空間に裏側から差し込まれた状態に取り付けられている。
【００４１】
また、上記下側の爪ピース３２は、図６〜図７に示すように、それらの一方側の軸支部１３Ａ２との連結部間にバネ３２Ｄが掛着されており、同バネ３２Ｄの付勢力によって、差込口１０Ａ内に向かって回転する方向に付勢された状態とされている。上記付勢による回転により、下側の爪ピース３２は、図９に示すように、その突起３２Ｂによって上側の爪ピース３１の押圧面３１Ｂを押圧して、上側の爪ピース３１を差込口１０Ａ内に向かって押し出すようになっている。
【００４２】
上記下側の爪ピース３２は、図６〜図７及び図９に示すように、その左右両側部に形成された平板状の形に張り出す各張出片３２Ｃが、ホルダ１０の各周壁部１１の外周面に当接することにより、それ以上のバネ３２Ｄの付勢による回転移動が規制された状態として保持されるようになっている。上記下側の爪ピース３２は、図９に示すように、上述した上側の爪ピース３１を差込口１０Ａ内に張り出させる位置まで回転した状態では、その突起３２Ｂの下側の傾斜面３０Ｂも差込口１０Ａ内に張り出した状態となって、上側の爪ピース３１の下側の傾斜面３０Ｂと略面一状の傾斜面３０Ｂを成して、通し孔１２の中身が外部から見えないように被覆した状態をとるようになっている。
【００４３】
上記下側の爪ピース３２は、図１１に示すように、上述した差込口１０Ａ内に飲物容器Ｃが差し込まれることによって上側の爪ピース３１が差込口１０Ａから退く方向に押し動かされることにより、その先端側の突起３２Ｂが上側の爪ピース３１の押圧面３１Ｂにより押し返される形で退く方向に押し回されるようになっている。上記下側の爪ピース３２は、そのバネ３２Ｄから受ける付勢力により、上側の爪ピース３１に対して常時押し回す方向の力を掛ける状態となっており、飲物容器Ｃの差し込みによって押し返されたその位置において、上側の爪ピース３１を押圧して飲物容器Ｃの外周面に押し当てた状態に保持するようになっている。
【００４４】
上記構成の保持爪３０は、図９に示すように、その初期状態では、上述した上側の爪ピース３１がその上端側の軸片３１Ａを中心とした回転により、上側の湾曲面３０Ａを軸片３１Ａよりも差込口１０Ａ内に張り出させた斜め下がりの角度姿勢に保持された状態とされている。これにより、上記保持爪３０は、図１１に示すように、上述した差込口１０Ａ内に飲物容器Ｃが差し込まれることにより、上側の爪ピース３１が湾曲面３０Ａを下側に押圧されて、軸片３１Ａを中心に軽い力で差込口１０Ａから退く方向に押し動かされるようになっている。
【００４５】
上記保持爪３０は、上述した上側の爪ピース３１の退く移動に伴って、下側の爪ピース３２もこれに押し動かされる形で退く方向に移動するようになっている。その際、上記保持爪３０は、上記のように上側の爪ピース３１と下側の爪ピース３２とに上下に２分割されて、それぞれが互いの反対側の端部に設定された回転中心（軸片３１Ａ，３２Ａ）まわりに小さく回転するようになっていることにより、通し孔１２から退く方向に大きく嵩張ることなく退くようになっている。そのため、上記保持爪３０は、上記上側の爪ピース３１と下側の爪ピース３２との退く方向に移動する側の先に、前側に倒された蓋部材５０が位置して退くためのスペースが狭められていても、これら上側の爪ピース３１と下側の爪ピース３２とを蓋部材５０と干渉させることなく、通し孔１２から全ての形状を退かせる位置までコンパクトに深く退かせることができるようになっている。
【００４６】
上記保持爪３０は、図１３に示すように、飲物容器Ｃが差込口１０Ａから引き抜かれる際には、上側の爪ピース３１の下側の傾斜面３０Ｂが、回転中心である軸片３１Ａのある上側に向かって押圧されることとなるため、上側の爪ピース３１が退く方向に押し動かされにくくなる。
【００４７】
次に、図６〜図７及び図９を参照して、各周壁部１１の後端側寄りの左右２箇所の位置に配設された各保持爪４０の構成について説明する。これら保持爪４０は、それぞれ、１部品によって構成されており、互いの配設位置は異なるものの、互いの基本的な構成は同じものとなっている。具体的には、各保持爪４０は、それらの下端側の左右両側部から張り出す各軸片４１が、ホルダ１０に形成された対応する各軸支部１３Ｂにそれぞれ下側から嵌め込まれて回転可能に軸支された状態として組み付けられている。また、各保持爪４０は、それらの一方側の軸支部１３Ｂとの連結部間にバネ４２が掛着されており、同バネ４２の付勢力によって、差込口１０Ａ内に向かって回転する方向に付勢された状態とされている。
【００４８】
上記付勢による回転により、各保持爪４０は、それらの上側の湾曲面４０Ａと下側の傾斜面３０Ｂとが差込口１０Ａ内に張り出す位置まで回転するようになっている。上記各保持爪４０は、それらの左右両側部に形成された平板状の形に張り出す各張出片４３が、ホルダ１０の各周壁部１１の外周面に当接することで、それ以上の付勢による回転移動が規制された状態として保持されるようになっている。
【００４９】
上記各保持爪４０は、図９に示すように、それらの初期状態では、それらの下端側の軸片４１を中心とした回転により、上側の湾曲面４０Ａを軸片４１よりも差込口１０Ａ内に張り出させた斜め上がりの角度姿勢に保持された状態とされている。したがって、上記各保持爪４０は、図１１に示すように、差込口１０Ａ内に飲物容器Ｃが差し込まれる際には、それらの上側の湾曲面４０Ａが、回転中心である軸片４１のある下側に向かって押圧されることとなるため、退く方向に押し動かされにくくなる。しかし、各保持爪４０は、飲物容器Ｃが差込口１０Ａ内に差し込まれた状態から、図１３に示すように飲物容器Ｃが差込口１０Ａから引き抜かれる際には、その下側の傾斜面３０Ｂが上側に押圧されるため、この力によって軸片４１を中心に軽い力で差込口１０Ａから退く方向に押し動かされるようになっている。
【００５０】
＜蓋部材５０について＞
蓋部材５０は、図４〜図５に示すように、横長な矩形板状の本体板５１と、本体板５１の左右両縁側の前端部から下後側へＬ字状に折れ曲がった形で延びるアーム５２と、を有する形に形成されている。上述した本体板５１は、上述したホルダ１０の各差込口１０Ａをそれぞれ上側から塞いだ形に覆うことのできる大きさ形状に形成されている。上記本体板５１の前縁部には、前後方向に起伏する複数の凹凸が左右方向に繰り返される形に並ぶ凹凸部５１Ａが形成されている。上記蓋部材５０は、上述した各アーム５２が、上述したホルダ１０の左右の各側面部に対して、それぞれ、軸ピン５３により回転可能に軸連結された状態とされている。これにより、上記蓋部材５０が、上述したホルダ１０に対して、上述した左右の軸ピン５３を中心とした前後方向の回転により開閉操作が行える状態に組み付けられた状態とされている。
【００５１】
上記蓋部材５０は、図４に示すように、その左側のアーム５２とホルダ１０の側面部との連結部間にバネ５４が掛着されており、同バネ５４の付勢力によって、常時、前側に開かれる回転方向に付勢された状態とされている。また、上記蓋部材５０は、図５に示すように、その右側のアーム５２にオイルダンパ５５が組み付けられている。上記オイルダンパ５５は、いわゆるギアダンパによって構成されており、その外周部に形成されたピニオン歯５５Ａが、ホルダ１０の右側の側面部に形成された円弧状に湾曲した形で突出する棚形状のラック歯１６と噛合した状態となって設けられている。上記オイルダンパ５５は、上述した蓋部材５０がバネ５４の付勢力によって前側に開かれる動作によって、上述したピニオン歯５５Ａがラック歯１６上を転がりながら回転して、ホルダ１０との間に内部の粘性抵抗による抑止力を作用させて、その回転する動きに弾みが付き過ぎないようにするようになっている。
【００５２】
上記蓋部材５０は、上述したホルダ１０に対する回転可能な連結により、図２に示すようにその本体板５１によってホルダ１０の上面部に蓋をした状態と、図３に示すようにその本体板５１をホルダ１０の前側に倒し込んでホルダ１０の上面部を開いた状態と、の間で起倒回転することができるようになっている。
【００５３】
＜ロック部材６０について＞
ロック部材６０は、図４〜図５に示すように、１本のアーム状の部材によって構成されている。上記ロック部材６０は、上述したホルダ１０の左側の側面部と蓋部材５０の左側のアーム５２との間に跨って組み付けられている。上記ロック部材６０は、上述した蓋部材５０が図２に示す形に閉じられた際に、蓋部材５０が付勢によって開かれないように閉じた状態に保持するように機能するものとなっている。また、上記ロック部材６０は、上記蓋部材５０が図２に示す形に閉じられた状態から、蓋部材５０の後側の縁部箇所が上側から押し込まれるように操作されることにより、上記保持状態を解除して、蓋部材５０を付勢によって図３に示す形に開けられるようにするようにもなっている。
【００５４】
具体的には、上記ロック部材６０は、図４〜図５に示すように、その上端部から右側へ延び出す軸片６１が、ホルダ１０の左側の側面部に形成された軸支部１７に左側から嵌め込まれて回転可能に軸支された状態として組み付けられている。そして、上記ロック部材６０は、その下端部に右側へ突出する形に組み付けられたロックピン６２が、蓋部材５０の左側のアーム５２に形成されたロック溝５２Ａ内に左側から入り込んで係合する形に組み付けられた状態とされている。そして、上記ロック部材６０は、上述した上端側のホルダ１０との連結部間にバネ６３が掛着されており、同バネ６３の付勢力によってホルダ１０に対して一の回転方向に押し付けられて当接した状態に保持された状態とされている。上記ロック部材６０は、上述した一の回転方向に押し付けられた状態から、バネ６３の付勢力に抗して他の回転方向に首振りすることができるようになっている。
【００５５】
上記構成のロック部材６０は、上述した蓋部材５０がホルダ１０に対して起倒回転する動きに伴って、その蓋部材５０の左側のアーム５２のロック溝５２Ａ内に入り込んでいるロックピン６２が、ロック溝５２Ａ内を摺動したりロック溝５２Ａから外れたりすることにより、蓋部材５０の起倒回転する動きを逃がすようになっている。そして、上記ロック部材６０は、上述した蓋部材５０が図２に示す閉じられる形に押し込まれることにより、上述した下端側のロックピン６２が、上述したロック溝５２Ａの一部に形成されたハートカム形状の引掛り部内に首振りしながら入り込んで引掛けられた状態となって、蓋部材５０の付勢による開き方向の回転を規制した状態に保持するようになっている。また、上記ロック部材６０は、上記蓋部材５０が図２に示す形に閉じられた状態から、その後側の縁部箇所が再度、上側から押し込まれる操作により、上述したロックピン６２が上述したロック溝５２Ａ内の引掛り部内に入り込んだ状態から首振りしながら外し出されて、蓋部材５０の付勢による開き方向の回転を許容する状態に切り換えられるようになっている。
【００５６】
＜ガイドプレート７０について＞
ガイドプレート７０は、図２〜図５に示すように、上述したホルダ１０の前部箇所に組み付けられて、同ホルダ１０の前部箇所に倒し込まれる上述した蓋部材５０の本体板５１を前側から覆うように機能するものとなっている。具体的には、上記ガイドプレート７０は、上述した蓋部材５０の本体板５１の前側の縁部の回転移動軌跡に沿った形に湾曲した曲板形状に形成されている。そして、上記ガイドプレート７０の湾曲した内周面上には、上述した蓋部材５０の本体板５１の前側の縁部に形成された凹凸部５１Ａと噛み合う凹凸形状の凹凸条７１が、その湾曲面に沿って延びる形に形成されている。
【００５７】
上記構成のガイドプレート７０は、その内周面上に形成された上述した凹凸条７１上に、上述した蓋部材５０の本体板５１の前側の縁部に形成された凹凸部５１Ａが噛み合わされた状態として、蓋部材５０の開閉操作が行われる構成とされている。このような構成とされていることにより、上述したガイドプレート７０は、上述した蓋部材５０が開かれた状態において、蓋部材５０とガイドプレート７０との間に小物等の異物が落ち込んだとしても、蓋部材５０を閉じる操作により、その入り込んだ異物をガイドプレート７０との噛み合った形状により掬い上げる形で、適切に外部に掻き出すことができるようになっている。
【００５８】
＜ベゼル８０について＞
ベゼル８０は、図２〜図５に示すように、上述したホルダ１０の上部に組み付けられて、同上部の周縁を囲った形に設けられる構成とされている。上記ベゼル８０は、図２〜図３に示すように、その開口８１内で上述した蓋部材５０の開閉操作が行われるようになっている。上記ベゼル８０は、図２に示すように、蓋部材５０が閉じられた状態では、蓋部材５０の本体板５１と互いの上面が面一状を成す形とされる構成とされている。また、上記ベゼル８０は、図３に示すように、蓋部材５０が開かれた状態では、その開口８１内の前側の縁部箇所に蓋部材５０の本体板５１が起立した状態に位置して、本体板５１の尻側（上側）の縁部が開口８１から上側に張り出した状態として位置するようになっている。これにより、上記ベゼル８０の開口８１から上側に張り出す蓋部材５０の尻側（上側）の縁部を後方側に引き込む形で、蓋部材５０の閉じ操作が行えるようになっている。
【００５９】
＜まとめ＞
以上をまとめると、本実施例のカップホルダ１は次のような構成とされている。すなわち、保持対象物（飲物容器Ｃ）を外周側から支持可能な側壁部（周壁部１１）を備えるホルダ（ホルダ１０）と、側壁部（周壁部１１）に対してホルダ（ホルダ１０）の内外に進退可能に取り付けられた保持爪（保持爪３０）と、を有するカップホルダ１である。保持爪（保持爪３０）が互いに異なる移動軌跡を描いて側壁部（周壁部１１）に形成された共通の通し孔（通し孔１２）からホルダ（ホルダ１０）の内部に張り出す形態をとる複数の爪ピース（上側の爪ピース３１と下側の爪ピース３２）に分割された構成とされている。
【００６０】
このように、保持爪（保持爪３０）が上記の形に分割されていることで、保持爪（保持爪３０）をホルダ（ホルダ１０）内に大きく張り出す形にしても、それぞれを異なる移動軌跡でホルダ（ホルダ１０）外へコンパクトに退かせることができる。
【００６１】
詳しくは、上記保持爪（保持爪３０）が互いに高さ方向に分割された上側の爪ピース（上側の爪ピース３１）と下側の爪ピース（下側の爪ピース３２）とによって構成され、当該各爪ピース（上側の爪ピース３１と下側の爪ピース３２）が互いの反対側の端部に設定された軸（軸片３１Ａ，３２Ａ）回りの回転によりホルダ（ホルダ１０）の内外に動く構成とされている。このような構成とされていることにより、各爪ピース（上側の爪ピース３１と下側の爪ピース３２）を小さい移動軌跡でホルダ（ホルダ１０）の内外に移動させることができる。
【００６２】
また、上側の爪ピース（上側の爪ピース３１）が下側の爪ピース（下側の爪ピース３２）よりもホルダ（ホルダ１０）の内側に位置して下側の爪ピース（下側の爪ピース３２）を上方側から覆う形でホルダ（ホルダ１０）の内部に張り出す構成とされている。このような構成とされていることにより、保持爪（保持爪３０）が、上端ヒンジの上側の爪ピース（上側の爪ピース３１）が上方側に見える構成となり、進退過程のいずれの状態においても、上側の爪ピース（上側の爪ピース３１）によって通し孔（通し孔１２）と下側の爪ピース（下側の爪ピース３２）との境界形状とを見栄え良く覆った状態とすることができる。
【００６３】
また、保持爪（保持爪３０）は、上側の爪ピース（上側の爪ピース３１）と下側の爪ピース（下側の爪ピース３２）とのうちの一方（上側の爪ピース３１）が他方（下側の爪ピース３２）をどちらかから突出する突起（下側の爪ピース３２から突出する突起３２Ｂ）の当接により押し動かす構成とされている。このような構成とされていることにより、上側の爪ピース（上側の爪ピース３１）と下側の爪ピース（下側の爪ピース３２）との更なる小型化を図ることができる。
【００６４】
また、更に、側壁部（周壁部１１）に対して別の保持爪（保持爪４０）が上記保持爪（保持爪３０）と周方向に並んで設けられている。上記保持爪（保持爪３０）が別の保持爪（保持爪４０）よりも使用者から遠い側の周方向位置（前端側の位置）に配置されている。このような構成とされていることにより、使用者が保持対象物（飲物容器Ｃ）を手前側から奥側へ傾けた角度でホルダ（ホルダ１０）内に落とし込む際に、保持対象物（飲物容器Ｃ）がホルダ（ホルダ１０）内の先当たりする遠い側の側壁部（周壁部１１）に上端ヒンジの保持爪（保持爪３０）が位置することで、保持爪（保持爪３０）をスムーズにホルダ（ホルダ１０）外へ押し退けて保持対象物（飲物容器Ｃ）をホルダ（ホルダ１０）内に落とし込むことができる。
【００６５】
また、上記別の保持爪（保持爪４０）が下端ヒンジでホルダ（ホルダ１０）の内外に進退する構成とされている。このような構成とされていることにより、ホルダ（ホルダ１０）内にセットした保持対象物（飲物容器Ｃ）を引き抜く際に、下端ヒンジの別の保持爪（保持爪４０）がスムーズにホルダ（ホルダ１０）外へ押し退けられるため、保持対象物（飲物容器Ｃ）をスムーズにホルダ（ホルダ１０）外へ引き抜くことができる。
【００６６】
＜その他の実施例＞
以上、本発明の実施形態を１つの実施例を用いて説明したが、本発明は上記実施例のほか各種の形態で実施することができるものである。例えば、本発明のカップホルダは、上記自動車のリヤシートに設けられたセンタアームレストに内蔵されて設けられるものの他、フロントシートのシートバックの背部やドアトリムのアームレストやセンタコンソールやフロントボックス等、車内のいずれの箇所に設けられるものであってもよい。また、上記カップホルダは、自動車に限らず、鉄道等の自動車以外の車両や、航空機、船舶等の様々な乗物に適用することができるものである。また、上記カップホルダは、家具としての椅子やソファー等の乗物以外のものに適用されるものであってもよい。
【００６７】
また、保持対象物は、スマートフォンやタブレット等のモバイル機器や各種小物等の飲物容器以外のものであってもよい。また、上記保持対象物を外周側から支えるホルダは、保持対象物を１つ又は３つ以上保持可能な構成を備えたものであってもよく、その保持対象物を外周側から支える形も円筒形状に限らず、角筒形状や断片的な形状のものなど、特定の形に限定されるものではない。また、保持爪は、ホルダの側壁部に対してホルダの内外に進退可能に取り付けられるものであれば良く、縦回転により進退するものに限らず、横回転により進退するものや、各種方向への直線的なスライド或いは曲線的なスライドによって進退するものであってもよい。
【００６８】
また、上記保持爪は、高さ方向に複数の爪ピースに分割されるものの他、幅方向や進退方向に分割されるものであってもよい。また、上記分割された各爪ピースは、そのいずれかが他のいずれかを押したり引いたりして協働して動くものに限らず、各々が個別に協働しない形で動かされるものであってもよい。また、ホルダに設けられる保持爪は、少なくとも１つあればよく、保持爪が周方向に複数設けられる構成となる場合に、全ての保持爪が、上記分割された複数の爪ピースから成るものであってもよく、そのうちの一部が上記分割された複数の爪ピースから成るものであってもよい。
【００６９】
また、上記保持爪の分割された各爪ピースは、いずれの爪ピースが主としてホルダ内に張り出すものであってもよく、複数の爪ピースが同じだけホルダ内に張り出すようなものであってもよい。また、上記保持爪は、３つ以上の爪ピースに分割されるものであってもよい。
【符号の説明】
【００７０】
１      カップホルダ
１０    ホルダ
１０Ａ  差込口
１１    周壁部（側壁部）
１２    通し孔
１３    軸支部
１３Ａ１，１３Ａ２  軸支部
１３Ｂ  軸支部
１４    底壁
１５    仕切り板
１６    ラック歯
１７    軸支部
２０    トレー
２１    受け皿
２２    ブリッジ
３０    保持爪（保持爪）
３０Ａ  湾曲面
３０Ｂ  傾斜面
３１    上側の爪ピース
３１Ａ  軸片
３１Ｂ  押圧面
３１Ｃ  張出片
３２    下側の爪ピース
３２Ａ  軸片
３２Ｂ  突起
３２Ｃ  張出片
３２Ｄ  バネ
４０    保持爪（別の保持爪）
４０Ａ  湾曲面
４０Ｂ  傾斜面
４１    軸片
４２    バネ
４３    張出片
５０    蓋部材
５１    本体板
５１Ａ  凹凸部
５２    アーム
５２Ａ  ロック溝
５３    軸ピン
５４    バネ
５５    オイルダンパ
５５Ａ  ピニオン歯
６０    ロック部材
６１    軸片
６２    ロックピン
６３    バネ
７０    ガイドプレート
７１    凹凸条
８０    ベゼル
８１    開口
Ｃ      飲物容器（保持対象物）
１００  リヤシート
１１０  センタアームレスト
【図１】
0006576840.tif 000002
【図２】
0006576840.tif 000003
【図３】
0006576840.tif 000004
【図４】
0006576840.tif 000005
【図５】
0006576840.tif 000006
【図６】
0006576840.tif 000007
【図７】
0006576840.tif 000008
【図８】
0006576840.tif 000009
【図９】
0006576840.tif 000010
【図１０】
0006576840.tif 000011
【図１１】
0006576840.tif 000012
【図１２】
0006576840.tif 000013
【図１３】
0006576840.tif 000014